(57)【要約】      （修正有）【課題】比較的低温の温水を再生熱源として利用することが出来るデシカント空調システムの提供。【解決手段】熱源装置（２０）と、熱源装置の排熱を貯蔵する排熱貯蔵装置（４０）と、除湿ロータを有するデシカント空調機（１０）と、ヒートポンプ（６０）とを有し、ヒートポンプ（６０）の蒸発器（４）は排熱ライン（Ｌｈ）を介して排熱貯蔵装置（貯湯槽４０）と連通し、ヒートポンプ（６０）の凝縮器（５）は除湿ロータの再生域に連通する空気流路（Ｆ２１）に設けられており、該空気流路（Ｆ２１）を流れる空気にヒートポンプ（６０）を循環する冷媒の気化熱を投入する。【選択図】図２
2007278594.tif 000002
【特許請求の範囲】
【請求項１】
熱源装置と、熱源装置の排熱を貯蔵する排熱貯蔵装置と、除湿ロータを有するデシカント空調機と、ヒートポンプとを有し、ヒートポンプは凝縮器と蒸発器と圧縮機とを備えており、ヒートポンプの蒸発器は排熱ラインを介して排熱貯蔵装置と連通しており、ヒートポンプの凝縮器は除湿ロータの再生域に連通する空気流路に設けられており、該空気流路を流れる空気にヒートポンプを循環する冷媒の気化熱を投入する様に構成されていることを特徴とするデシカント空調システム。
【請求項２】
前記デシカント空調機とヒートポンプとは、一体的に構成されている請求項１のデシカント空調システム。
【請求項３】
デシカント空調機とヒートポンプとは別体に構成されている請求項１のデシカント空調システム。
【請求項４】
前記ヒートポンプは、排熱ラインを介して排熱貯蔵装置と連通している蒸発器に加えて、第２の蒸発器を備えており、第２の蒸発器は、デシカント空調機内に構成されている空気流路に介装されて当該空気流路を流れる空気から気化熱を奪いヒートポンプを循環する冷媒に投入する様に構成されている請求項１〜３の何れか１項のデシカント空調システム。
【発明の詳細な説明】
【技術分野】
【０００１】
本発明は、除湿するべき空間の空気から水分を除去するための除湿機を備えたシステムに関する。より詳細には、本発明は、吸湿体としてシリカゲルやゼオライトの様な固体吸湿体を用いたデシカント空調機（デシカント除湿機）を備えたシステムに関する。
【背景技術】
【０００２】
燃料電池は、水素と酸素を電気化学反応させ、電気エネルギを発生させると同時に、反応時に発生する熱も回収利用することにより、高いエネルギ効率が実現できる。
従来の家庭用燃料電池及び家庭用燃料電池を用いた給湯システムとして、例えば、燃料電池から回収した排熱を温水としてタンクに貯え、かかる温水を給湯需要に対応して、必要時に給湯するシステムが提案されている（特許文献1参照）。
【０００３】
燃料電池に加えて、電気及び熱を家庭に併給する事ができるシステムとして、ガスエンジンに発電機を組み合わせたシステムが存在する。ガスエンジンに発電機を組み合わせたシステムの排熱を給湯・暖房以外の用途に活用する例として、デシカント空調機の熱源として利用するシステムが提案されている（例えば、特許文献２参照）。
【０００４】
しかし、燃料電池から回収した排熱を温水としてタンクに貯え、かかる温水を給湯需要に対応して、必要時に給湯するシステム（特許文献1）のような家庭用燃料電池・給湯システムの場合、燃料電池は熱主電従運転が基本となるため、熱需要の高い冬季においては比較的稼働率が高いが、夏季においては給湯・暖房等の温熱需要が低く、従って燃料電池の稼働率が低くなると言う問題がある。
ここで一般家庭では、エアコン等の使用により、年間で最も電力負荷が高くなるのは夏季である。
【０００５】
また、ガスエンジンに発電機を組み合わせたシステムの排熱をデシカント空調機の熱源として利用するシステム（特許文献２参照）の場合、ガスタービンやガスエンジンのような高温排熱を排出する機器と組み合わせる場合には十分な能力を発揮できるが、家庭用燃料電池（特に固体高分子形燃料電池ＰＥＦＣ）の場合は排熱の温度レベルが低く、デシカント空調機における再生熱源としては不充分である、という問題が存在する。
これに加えて、燃料電池を運転するに際しては負荷変動が存在し、排熱温水の戻り温度も適切に制御される必要があるため、デシカント空調システムと併合する場合には、燃料電池自体の負荷の変動に追従して、燃料電池及びデシカント空調機の双方をバランス良く運転しなければならないが、それは極めて難しい。
【特許文献１】特開２００２−１３４１４３号公報
【特許文献２】特開２００３−２７９０７０号公報
【発明の開示】
【発明が解決しようとする課題】
【０００６】
本発明は上述した従来技術の問題点に鑑みて提案されたものであり、比較的低温の温水を熱源として利用することが出来るデシカント空調機を備えたシステムの提供を目的としている。
【課題を解決するための手段】
【０００７】
本発明のデシカント空調システムは、熱源装置（発電装置２０：例えば固体高分子形燃料電池ＰＥＦＣ）と、熱源装置（２０）の排熱を貯蔵する排熱貯蔵装置（貯湯槽４０）と、除湿ロータ（１、１Ａ）を有するデシカント空調機（１０）と、ヒートポンプ（６０）とを有し、ヒートポンプ（６０）は凝縮器（５）と蒸発器（４）と圧縮機（６）とを備えており、ヒートポンプ（６０）の蒸発器（４）は排熱ライン（Ｌｈ）を介して排熱貯蔵装置（貯湯槽４０）と連通しており、ヒートポンプ（６０）の凝縮器（５）は除湿ロータ（１）の再生域（１３）に連通する空気流路（例えば空気ラインＦ２２）に設けられており、該空気流路（Ｆ２２）を流れる空気（デシカントの再生空気）にヒートポンプ（６０）を循環する冷媒の気化熱を投入する様に構成されていることを特徴としている（請求項１）。
【０００８】
本発明の実施に際して、前記デシカント空調機（１０）とヒートポンプ（６０）とは、一体的に構成することが出来る（図１〜図１７：請求項２）。
或いは、前記デシカント空調機（１０Ａ、１０Ｂ）とヒートポンプ（６０Ａ、６０Ｂ）とを、別体に構成することも可能である（図１８〜図２３：請求項３）。
【０００９】
本発明において、前記ヒートポンプ（６０）は、排熱ライン（Ｌｈ）を介して排熱貯蔵装置（貯湯槽４０）と連通している蒸発器（蒸発器４）に加えて、第２の蒸発器（蒸発器４Ａ）を備えており、第２の蒸発器（蒸発器４Ａ）は、デシカント空調機（１０）内に構成されている空気流路（例えば空気ラインＦ２１）に介装されて当該空気流路（Ｆ２１）を流れる空気から気化熱を奪いヒートポンプ（６０）を循環する冷媒に投入する様に構成されているのが好ましい（請求項４：図６〜図１７、図２１〜図２３）。
【発明の効果】
【００１０】
上述する構成を具備する本発明のデシカント空調システムによれば、ヒートポンプ（６０）の蒸発器（４）は排熱ライン（Ｌｈ）を介して排熱貯蔵装置（貯湯槽４０）と連通しており、ヒートポンプ（６０）の凝縮器（５）は除湿ロータ（１）の再生域（１３）に連通する空気流路（例えば空気ライン）に設けられており、該空気流路を流れる空気にヒートポンプ（６０）を循環する冷媒の気化熱を投入するので（請求項１）、ＰＥＦＣの様に排熱温度が比較的低温である熱源機（燃料電池２０）であっても、その低温排熱はヒートポンプ（６０）において冷媒を蒸発するのに用いられ、そして、凝縮器（５）において冷媒が保有する気化熱が再生空気に投入され、再生用空気を（例えば、９０℃レベルまで）加熱、昇温する。
そのため、係る低温排熱であっても、デシカント空調機（１０）の再生熱源として有効利用されるのである。
【００１１】
そして本発明のデシカント空調システムによれば、燃料電池（ＰＥＦＣ）の貯湯槽（４０）内に貯えられた温水を、ヒートポンプ（６０）において冷媒を蒸発する熱源として使用している。換言すれば、本発明によれば、燃料電池（ＰＥＦＣ）の貯湯槽（４０）内に貯えられた温水をデシカント空調機（１０）の再生用熱源として利用しているので、燃料電池（熱源機２０）の負荷に変動が生じても、デシカント空調機（１０）側はさほどの影響は受けない。
【００１２】
ここで、デシカント空調機（１０）は夏季に使用されるので、燃料電池装置（熱源機２０）の排熱をデシカント空調機（１０）の熱源（再生用熱源或いは作動用熱源）に用いる本発明によれば、夏場において、燃料電池装置（熱源機２０）の排熱がデシカント空調機（１０）側で必要とされる。その結果、夏季における燃料電池装置（熱源機２０）の排熱の消費先が確保できて、燃料電池（熱源機２０）の稼動率が向上する。
【００１３】
本発明のヒートポンプによれば、例えば、６０℃（ＰＥＦＣの貯湯槽４０内に貯えられた温水の温度レベル）の温水を用いて、９０℃の空気（デシカントローラの再生域に供給される再生用空気）を得ることが出来る。このことは、常温の空気を用いて９０℃の空気を得るよりも、消費電力が少なくて済むことを意味しており、省エネルギの要請にも合致する。
【００１４】
本発明において、第２の蒸発器（蒸発器４Ａ）を備えており、第２の蒸発器（４Ａ）は、デシカント空調機（１０）内に構成されている空気流路（例えば空気ラインＦ３）に介装されて当該空気流路（Ｆ３）を流れる空気から気化熱を奪いヒートポンプ（６０）を循環する冷媒に投入する様に構成すれば（請求項４）、除湿ロータ（１）で除湿された空気の流路（Ｆ３）に第２の蒸発器（蒸発器４Ａ）を配置した場合に、除湿された空気を降温して、除湿しようとする環境（室内Ｅ）に設けられた空調設備（図示せず）の冷房負荷を減少させることが可能である。
【００１５】
また、除湿ロータ（１）の除湿域（１１）に向って除湿するべき空気が流れる空気流路（Ｆ２）に、第２の蒸発器（蒸発器４Ａ）を配置した場合には、除湿するべき空気が降温することにより、露点を超えた分の水分が除去されるので、除湿能力が向上する。
【００１６】
或いは、除湿ロータ（１）の再生域（１３）で再生を行った空気が流れる空気流路（Ｆ５０）に、第２の蒸発器（蒸発器４Ａ）を配置すれば、再生を行った空気が降温して、露点を超えた分の水分が除去され、以って、除湿が行われるので、当該空気を外部に捨てずに、空調を行うべき空間に戻して、冷房能力の低減を図ることができる。
【発明を実施するための最良の形態】
【００１７】
以下、添付図面を参照して、本発明の実施形態について説明する。
先ず、図１、図２を参照して第１実施形態を説明する。
ここで、図１はシステム全体の構成を大きな３つのユニットで示しており、図２は、図１の中の１つのユニットであるデシカント空調機の構成をブロック図で示している。
【００１８】
図１において、全体を符号１０１で示すデシカント空調システムは、熱源機（或いは発電装置）２０と、貯湯槽４０とデシカント空調機１０とを有している。
ここで、熱源機（或いは発電機）２０としては、例えば、固体高分子形燃料電池（ＰＥＦＣ）があげられる。但し、冷却水温度（排熱温度）が比較的低温な熱源装置であれば、ＰＥＦＣ以外の熱源機であっても適用可能である。
【００１９】
燃料電池２０には、都市ガスラインＬｇを介して都市ガスが供給される。燃料電池２０と貯湯槽４０とは１次排熱ラインＬｘによって循環回路が形成され、燃料電池２０の排熱が貯湯槽４０内に投入される。ここで１次排熱ラインＬｘは、排出側ラインＬｘ１と、戻り側ラインＬｘ２とで構成されている。
貯湯槽４０とデシカント空調機１０とは２次排熱ラインＬｈによって循環回路が形成され、貯湯槽４０の温水が有する排熱がデシカント空調機１０の後述する蒸発器４に投入されるように構成されている。
２次排熱ラインＬｈは、排出側ラインＬｈ１と、戻り側ラインＬｈ２とで構成されている。
【００２０】
貯湯槽４０には２次排熱ラインＬｈのほかに、上水ラインＬｗ１と、給湯ラインＬｗ２、Ｌｗ３が接続されている。なお、給湯ラインＬｗ２、Ｌｗ３は、各種給湯負荷や、風呂に連通している。
【００２１】
図２〜図１７では明確には示されていないが、デシカント空調機１０は、後述するヒートポンプ６０と一体に構成されている。
【００２２】
図２において、デシカント空調機１０は、ヒートポンプ６０とデシカントロータ１Ａとを備えており、上述した通り、デシカント空調機１０とヒートポンプ６０とは一体に構成されている。
ヒートポンプ６０は、蒸発器４と凝縮器５とコンプレッサ６と膨張弁Ｖとを有し、これらの機器（蒸発器４、凝縮器５、コンプレッサ６、膨張弁Ｖ）は冷媒ラインＬｃによって冷媒が循環する様に接続されている。詳細には、冷媒ラインＬｃは、コンプレッサ６と凝縮器５を接続するラインＬｃ１と、膨張弁Ｖを介装し且つ凝縮器５と蒸発器４とを接続するラインＬｃ２と、蒸発器４とコンプレッサ６とを接続するラインＬｃ３とで構成されている。
【００２３】
デシカントローラ１Ａは流路壁７、７によって（図２において）上下に二分されるように形成されている。二分された下方側の領域は室内の除湿するべき空気の流路Ｆ２１となり、上方の領域はデシカントローラ１Ａの水分を除去してデシカントを除湿可能に再生させるための再生用空気の流路Ｆ２２となっている。
なお図２において、デシカントローラ１Ａは上半分が再生域１３Ａで、下半分が除湿域１１Ａとなっている。
【００２４】
上述のように構成された第１実施形態のデシカント空調システム１０１によれば、室内の湿った空気が図示しない吸入口からデシカント空調機１０内に吸入され、空気流路Ｆ２１を流れる際にデシカントローラ１Ａの除湿域１１Ａで空気中に含まれる湿気が除去される。
【００２５】
一方、再生用空気流路Ｆ２２を流れる空気は、ヒートポンプ６０の凝縮器５を通過する際に、高圧気相冷媒の凝縮熱が投入されて昇温する。昇温した空気は、デシカントロータ１Ａを通過する際に、デシカントロータの再生域１３Ａを加熱し水分を除去して、再生域１３Ａにおけるデシカントを除湿可能に再生する。
【００２６】
デシカント空調機１０と一体のヒートポンプ６０では、冷媒は冷媒ラインＬｃに介装されたコンプレッサ６によって冷媒ラインＬｃ内を、図２の例では反時計回りに循環している。蒸発器４に流入した低圧液相冷媒は、２次排熱ラインＬｈを流れる温水（貯湯槽４０からの温水、例えば６０℃）が保有する熱量が投入され、蒸発して低圧気相冷媒となる。
低圧気相冷媒は、ラインＬｃ３を経由してコンプレッサ６に流入する。コンプレッサ６に流入した気相冷媒は圧縮され、高圧気相冷媒となってラインＬｃ１を経由して凝縮器５に流入する。
【００２７】
凝縮器５に流入した高温高圧の気相冷媒は前述したように、再生用空気流路Ｆ２２を流れる空気に凝縮熱を与え、再生用空気流路Ｆ２２を流れる空気を例えば９０℃レベルまで昇温する。
そして、高圧気相冷媒は凝縮して高圧液相冷媒となり、高圧液相冷媒は、冷媒ラインＬｃ２に介装された膨張弁Ｖで減圧されて低圧液相冷媒となって蒸発器４に流入する。そして、上述したサイクルを繰り返す。
【００２８】
第１実施形態では、熱源機２０として、例えば、排熱温度が比較的低温である固体高分子形燃料電池（ＰＥＦＣ）を用いている。
そしてＰＥＦＣの比較的低い温度の排熱であっても、当該排熱はデシカント空調機１０におけるデシカントロータの再生に有効利用されるのである。
【００２９】
ここで、デシカント空調機１０と一体に構成されたヒートポンプ６０の熱源として貯湯槽４０の温水を使用しているので、燃料電池（熱源機）２０が負荷変動しても、ヒートポンプ６０はその影響は受けない。
また、デシカント空調機１０は主として夏季に使用されるので、第１実施形態によれば、夏季に燃料電池２０の排熱を当該デシカント空調機１０の再生に利用する。そのため、夏季における燃料電池２０の排熱の消費先が確保できて、燃料電池２０の稼動率が向上する。
【００３０】
第１実施形態では、６０℃の湯を使って、９０℃の空気を得ている。そして、このことは、常温の空気を用いて９０℃の空気を得るよりも、消費電力が少なくて済み、省エネルギの要請にも合致する。すなわち、ヒートポンプ６０の効率向上に貢献している。
【００３１】
次に図３、図４を参照して本発明の第２実施形態を説明する。第２実施形態においては、デシカント空調システム全体を符号１０２で示す。
第２実施形態は、吸引された空気（Ｆ１）を加圧して除湿ロータ１の除湿域１１とパージ域１２とに供給するブロワ２を有するデシカント空調機１０に、第１実施形態を適用している。
【００３２】
図３において、第２実施形態に係るデシカント空調システム１０２は、デシカント空調機１０と、熱源機である燃料電池２０と、貯湯槽４０とから構成されている。
図３の第２実施形態は、デシカント空調機１０とヒートポンプ６０の内部構成が第１実施形態に対して異なっているが、その他は同様である。そのため、第２実施形態が図１、図２の第１実施形態と異なる部分についてのみ説明する。
【００３３】
図３において、デシカント空調機１０は、除湿ロータ１と、ブロワ２と、ケーシング３とを有しており、該ケーシング３は室内Ｅの壁Ｗに取り付けられている。
ここで、図３で示す第２実施形態では、除湿ロータ１は、図４で示す様に、処理域である除湿域１１とパージ域１２と再生域１３とに分かれている。なお、図４は、除湿ロータ１を正面から見た模式図である。
除湿ロータ１はケーシング３内に配置され、ブロワ２はロータ１に対して、ケーシング３に形成された空気吸入口３１の側に配置されている。
【００３４】
ケーシング３において、図３の上方に、除湿後の空気を室内Ｅに戻すための吹出し口（乾燥空気戻し口）３２が形成されている。
さらにケーシング３には、除湿ロータ１の再生域１３を経由した空気、すなわち水分を含んだ排気を、デシカント空調機１０から室外Ｘに排気するための排気口３３が形成されている。
除湿ロータ１のパージ域１２と再生域１３とはラインＦ０で連通しており、ラインＦ０は、ヒートポンプ６０の凝縮器５を介装しており、該凝縮器５はラインＦ０を流れる再生用空気に対して気相冷媒の凝縮熱を投入して加熱する。
【００３５】
室内Ｅからブロワ２に吸込まれ、除湿するべき空気（ラインＦ１を流れる空気）は、その一部（ラインＦ２を流れる空気）が除湿ロータ１の除湿域１１を通過し、その際に、（ラインＦ２を流れる空気が含有する）水分が除去される。
水分が除記された空気は、ラインＦ３及び吹出し口３２を経由して、再び室内Ｅに戻される。
【００３６】
ブロワ２に吸込まれた空気の残り（ラインＦ４を流れる空気）は、除湿ロータ１のパージ域１２を通過した際に加熱され、且つ、ラインＦ０に介装されたヒートポンプ６０の凝縮器５によって昇温される。そして、当該昇温された空気により、再生域１３のデシカントが包含している水分が除去され、再生域１３のデシカントが再生される。再生域１３のデシカントから除去された水分を包含する空気（排気）は、ラインＦ５から排気口３３を経由して、室外Ｘに排出される。
【００３７】
空気供給装置であるブロワ２は、除湿ロータ１の除湿域１１へ向う流量とパージ域１２へ向う流量との比が所定の比となり、且つ、パージ域１２における圧損と再生域１３における圧損と管路抵抗とを経た後の排気量が所定量となる様に、構成されている。
室内の空気交換（換気）のために、排気は一定量であることが要求される。ここで、排気量については、パージ域１２と再生域１３の両方における圧損を考慮する必要が有り、「圧損」は、除湿ロータ１の面積比、流量比、管路抵抗等にも関連する。
【００３８】
図３で示す第２実施形態では、再生域１３から除湿域１１へ流入する顕熱が、パージ域１２を通過する空気により除去される。従って、再生域１３の熱量（再生されたデシカントが保有する熱）により除湿域１１が加熱されてしまう事が防止される。
パージ域１２を通過した空気は、ヒートポンプ６０の凝縮器５により加熱された後に、その全流量が除湿ロータ１の再生域１３へ送られ、加熱された空気（再生用空気）が保有する熱量により、除湿ロータ１の再生域１３におけるデシカントが再生される。
【００３９】
第２実施形態においても、燃料電池２０の排熱が有効利用されると共に、夏季における排熱の消費先が確保されるので燃料電池２０の運転効率が向上する。
それと共に、図３で示す様な構成は簡単であり、構造が単純化した分だけ、圧損が小さくなる。
【００４０】
また、図３で示す構成であれば、湿度の高い空気（除湿されるべき空気）がパージ域１２を通過する際に、パージ域１２におけるデシカント（再生後のデシカント）によって、パージ域１２を通過する湿度の高い空気が除湿される。
ここで、再生に用いられる空気は水分を含まない方が好適である。その意味で、再生域１３に送られる空気が、それ以前にパージ域１２を通過することは好都合である。
【００４１】
さらに、図３の第２実施形態であれば、パージ域１２を通過した空気のみが再生域１３に送られ、それ以外の空気が大量に再生域１３へ送られる訳ではない。従って、パージ域１２で空気を除湿した効果が、如実に発揮される。
【００４２】
次に、図５を参照して本発明の第３実施形態を説明する。図５において、デシカント空調システム全体を符号１０３で示す。
図５の第３実施形態も、図１及び図２の第１実施形態を、吸引された空気Ｆ１１を加圧して除湿ロータ１の除湿域１１とパージ域１２とに供給する様に構成されているブロワ２を用いたデシカント空調機１０に適用している。
なお、図５〜図１７の実施形態において、デシカント空調機については、便宜上全て同一の符号「１０」を付して示す。同様にヒートポンプ６０についても、全て同一の符号「６０」を付して示す。
【００４３】
図３の第２実施形態では、湿度の高い空気をブロワ２により、除湿域１１側とパージ域１２とに各々送風している。それに対して、図５の第３実施形態では、湿度の高い空気Ｆ１１を除湿ロータ１の除湿域１１経由でブロワ２に吸引（Ｆ１２）している。即ち、ブロワ２は除湿ロータ１に対して、吹出し口３２側に配置されている。
ブロワ２に吸引（Ｆ１２）された除湿後の空気は、室内Ｅ側（Ｆ１３）と、除湿ロータ１のパージ域１２（Ｆ１４）とに、それぞれ送風される。
【００４４】
その他の構成及び作用効果については、図５の第３実施形態は、図３の第２実施形態と同様である。
【００４５】
次に、図６を参照して本発明の第４実施形態を説明する。図６において、デシカント空調システム全体を符号１０４で示す。
第４実施形態の全体構成（概略構成）は、図１で示すのと同じである。
図６では、デシカント空調機１０の詳細構成がブロック図として示されている。
【００４６】
図６において、デシカント空調機１０はヒートポンプ６０と一体に構成されており、デシカントロータ１Ａを有している。
デシカント空調機１０に一体のヒートポンプ６０は、蒸発器（第１の蒸発器）４と、凝縮器５と、第２の蒸発器４Ａと、第１のコンプレッサ６と、第２のコンプレッサ６Ａと、第１の膨張弁Ｖ１と、第２の膨張弁Ｖ２とを有し、これらの機器類（４、４Ａ、５、６、６Ａ、Ｖ１、Ｖ２）は冷媒ラインＬｃによって冷媒が循環可能に接続されている。
【００４７】
冷媒ラインＬｃは、第１のコンプレッサ６と第２のコンプレッサ６Ａを接続するラインＬｃ１１と、第２のコンプレッサ６Ａと凝縮器５とを接続するラインＬｃ１２と、膨張弁Ｖ１、Ｖ２を介装し凝縮器５と第２の蒸発器４Ａとを接続するラインＬｃ１３と、第２の蒸発器４Ａと第１のコンプレッサ６とを接続するラインＬｃ１４とで構成されている。
第１の膨張弁Ｖ１はラインＬｃ１３における第２の蒸発器４Ａ側に介装され、第２の膨張弁Ｖ２はラインＬｃ１３の凝縮器５側に介装されている。
【００４８】
ラインＬｃ１３における二つの膨張弁Ｖ１、Ｖ２の間の領域には分岐点Ｂが形成され、ラインＬｃ１１には合流点Ｇが形成されている。そして、その分岐点Ｂと合流点ＧはラインＬｃｂによって接続され、ラインＬｃｂには第１の蒸発器４が介装されている。
【００４９】
上述したように、第１の蒸発器４は、２次排熱ラインＬｈ（のＬｈ１、Ｌｈ２）によって貯湯槽内４０の温水が循環可能に、貯湯槽４０と接続されている。
【００５０】
上記のように構成された図６の第４実施形態では、ヒートポンプ６０の第１の蒸発器４では、貯湯槽４０から供給される例えば６０℃の温水から気化熱を奪い、冷媒ラインＬｃｂを流れる低圧液相冷媒を気化する。
ラインＬｃｂを流れる低圧気相冷媒は、合流点Ｇにおいて第２の蒸発器４Ａからの低圧気相冷媒と合流する。
第２の蒸発器４Ａからの低圧気相冷媒は、第１のコンプレッサ６に吸い込まれて押圧されて吐出され、合流点ＧでラインＬｃｂを流れる低圧気相冷媒と合流する。
合流点Ｇで合流した低圧気相冷媒はラインＬｃ１１を流れ、第２のコンプレッサ６Ａに流入する。
【００５１】
第２のコンプレッサ６Ａに流入した気相冷媒は加圧され、高圧の気相冷媒としてラインＬｃ１２に吐出され、凝縮器５に流入する。凝縮器５に流入した高圧気相冷媒は、再生空気流路Ｆ２２を流れる再生用空気に凝縮熱を投入して加熱すると共に、凝縮して高圧液相冷媒となる。
高圧液相冷媒の凝縮熱により加熱され昇温した再生用空気（Ｆ２２）は、デシカントロータ１Ａの再生域１３Ａを通過する際に、再生域１３Ａのデシカントを加熱し、水分を除去して再生する。
換言すると、第１の蒸発器４及び第２の蒸発器４Ａで低圧液相冷媒に投入された気化熱が、凝縮器５で凝縮熱として再生用空気（Ｆ２２）に投入されて、再生用空気（Ｆ２２）を昇温するのである。
【００５２】
凝縮器５で凝縮した高圧液相冷媒はラインＬｃ１３の第２の膨張弁Ｖ２で減圧されて、低圧液相冷媒となってラインＬｃ１３を流過する。
ラインＬｃ１３を流過する液相冷媒は分岐点Ｂで分岐して、一部はラインＬｃ１３を流れて第２の蒸発器４Ａ側に向かう。その際、第１の膨張弁Ｖ１で更に減圧される。第２の蒸発器４Ａでは、低圧の液相冷媒は除湿するべき空気（Ｆ２１）から気化熱を奪って蒸発し、以って、除湿するべき空気を冷却或いは降温する。冷却或いは降温された空気（Ｆ２１）は、デシカントロータ１Ａの除湿域１１Ａで除湿される。
第２の蒸発器４Ａで除湿するべき空気（Ｆ２１）から気化熱を奪い蒸発した低圧気相冷媒は、ラインＬｃ１４経由で第１のコンプレッサ６に流入する。
【００５３】
図６の第４実施形態では、第２の蒸発器４Ａによって、除湿するべき空気Ｆ２１から気化熱が奪われるので、当該空気（Ｆ２１）は降温される。その結果、除湿効果が高まると共に、空調を行うべき室内の降温にも寄与する。その結果、空調を行うべき室内Ｅにおける図示しない空調設備の冷房負荷が低減するという作用効果をも奏する。
【００５４】
ラインＬｃ１３の分岐点ＢでラインＬｃｂに流入した低圧液相冷媒は、第１の蒸発器４に流入し、燃料電池２０の排熱により蒸発して、上述のサイクルを再び繰り返す。
【００５５】
次に、図７を参照して本発明の第５実施形態を説明する。図７において、デシカント空調システムは、全体を符号１０５で示す。
図７の第５実施形態は、図６の第４実施形態を、吸引（Ｆ１）した空気を加圧して除湿ロータ１の除湿域１１とパージ域１２とに供給するブロワ２を有するデシカント空調機１０に適用している。
【００５６】
図７におけるデシカント空調機１０の構成は、図３の第２実施形態で示すデシカント空調機１０と同様である。しかし、図７で示す第５実施形態では、除湿ロータ１の除湿域１１を経由して除湿された空気を室内Ｅに誘導するラインＦ３に、ヒートポンプ６０の第２の蒸発器４Ａが介装されており、第２の蒸発器４Ａが除湿された空気から気化熱を奪って冷却している。その点で、図３の第２実施形態とは相違している。
ヒートポンプ６０の第２の蒸発器４Ａにより、除湿された空気を降温して室内Ｅへ供給すれば、図示しない室内Ｅにおける図示しない空調設備の冷房負荷が低減する。
【００５７】
図７で示す第５実施形態においても、除湿ロータ１のパージ域１２と再生域１３とはラインＦ０で連通しており、ラインＦ０はヒートポンプ６０の凝縮器５を介装しており、凝縮器５により高圧気相冷媒の凝縮熱がラインＦ０を流れる再生用空気に投入され、再生用空気を加熱している。
【００５８】
図７のデシカント空調機１０におけるその他の構成及び効果は、図３の第２実施形態のデシカント空調機１０と同様である。
そして、図７の第５実施形態のデシカント空調システム１０５におけるその他の構成及び効果は、図６の第４実施形態のデシカント空調システム１０４と同様である。
【００５９】
次に、図８を参照して本発明の第６実施形態を説明する。図８において、デシカント空調システム全体を符号１０６で示す。
図８の第６実施形態も、図６の第４実施形態を、吸引した空気（Ｆ１）を加圧して除湿ロータ１の除湿域１１とパージ域１２とに供給するブロワ２を用いたデシカント空調機１０に適用している。
【００６０】
図７の第５実施形態では、除湿域１１を経由して除湿された空気が流れるラインＦ３にヒートポンプ６０の第２の蒸発器４Ａを介装していた。
それに対して、図８の第６実施形態では、ブロワ２と除湿ロータ１の除湿域１１とを連通するラインＦ２に、ヒートポンプ６０の第２の蒸発器４Ａを介装している。
図８において、ブロワ２から吹き出す空気（除湿すべき空気）はヒートポンプ６０の第２の蒸発器４Ａによって冷却或いは降温される。冷却された結果、除湿すべき空気が降温するので、露点を超えた分の水分が除去される。
【００６１】
ここで、デシカント方式による除湿は、除湿するべき空気の相対湿度が高いほど効率が向上する。図８の第６実施形態によれば、ヒートポンプ６０の第２の蒸発器４Ａにより露点以下の水分を除去するので、除湿ロータ１に送られる除湿するべき空気の相対湿度は、略々１００％近くなる。そのため、デシカント方式による除湿効率が向上する。
【００６２】
図８の第６実施形態におけるその他の構成及び効果は、図７の第５実施形態と同様である。
【００６３】
次に、図９を参照して本発明の第７実施形態を説明する。図９では、デシカント空調システム全体を符号１０７で示す。
図９の第７実施形態も、図６の第４実施形態を、吸引された空気（Ｆ１）を加圧して除湿ロータ１の除湿域１１とパージ域１２とに供給するブロワ２を用いたデシカント空調機１０に適用している。
【００６４】
図８の第６実施形態では、ブロワ２と除湿ロータ１の除湿域１１とを連通するラインＦ２にヒートポンプ６０の第２の蒸発器４Ａを介装していた。それに対して、図９の第７実施形態では、除湿するべき空気をブロワ２に供給するラインＦ１（ブロワ２の上流側の位置）に、ヒートポンプ６０の第２の蒸発器４Ａを介装している。
このように構成することによって、ブロワ２に吸引される空気（除湿すべき空気）をヒートポンプ６０の蒸発器４Ａで冷却して降温し、露点を超えた分の水分を除去するのである。
【００６５】
図９の第７実施形態におけるその他の構成及び効果は、図８の第６実施形態と同様である。
【００６６】
次に、図１０を参照して本発明の第８実施形態を説明する。図１０において、デシカント空調システム全体を符号１０８で示す。
図１０の第８実施形態も、図６の第４実施形態を、吸引された空気（Ｆ１）を加圧して除湿ロータ１の除湿（処理域）１１とパージ域１２とに供給するブロワ２を有するデシカント空調機１０に適用している。
【００６７】
図１０の第８実施形態は、除湿ロータ１の再生域１３においてデシカントを再生した後の空気が流れるラインＦ５０に、ヒートポンプ６０の第２の蒸発器４Ａを介装した実施形態である。
【００６８】
ヒートポンプ６０の蒸発器４Ａにより、デシカントを再生した後の空気を降温させることにより、当該空気における露点を超えた分の水分を除去することが出来る。
第２の蒸発器４Ａで降温されて水分が除去された空気は、系外、例えば戸外（或いは室外）に排気することなく、処理域１１を経由した空気と同様に、室内Ｅへ供給される。
【００６９】
図１０の第８実施形態におけるその他の構成及び効果は、図７〜図９の実施形態と同様である。
【００７０】
次に、図１１を参照して本発明の第９実施形態を説明する。図１１において、デシカント空調システム全体を符号１０９で示す。
図１１の第９実施形態も、図６の第４実施形態を、吸引された空気（Ｆ１）を加圧して除湿ロータ１の除湿域１１とパージ域１２とに供給するブロワ２を有するデシカント空調機１０に適用している。
【００７１】
図１１においては、図１０と同様に、除湿ロータ１の再生域１３を再生した後の空気が流れるラインＦ５０に、ヒートポンプ６０の蒸発器４Ａが介装されている。
その様に構成することで、デシカントを再生した後の空気を第２の蒸発器４Ａで降温し、露点を超えた分の水分を除去しているので、蒸発器４Ａを経由した空気からは、ある程度の水分が除去されており、湿度が低くなっている。そして、第２の蒸発器４Ａで降温されて水分が除去された空気は、系外、例えば戸外（或いは室外）に排気することなく、処理域１１を経由した空気と同様に、室内Ｅへ供給される。
【００７２】
それと共に、除湿ロータ１の処理域１１を経由して除湿された空気を室内Ｅに誘導するラインＦ３中に、熱交換器Ｈが介装されている。この熱交換器Ｈには、例えば、図示しない冷媒配管や冷水配管が連通している。
この様に構成すれば、除湿ロータ１により除湿された空気を、熱交換器Ｈにより降温（或いは昇温）して室内Ｅへ供給することにより、空調設備の負荷（冷房負荷或いは暖房負荷）を低減することが出来る。
【００７３】
図１１の第９実施形態におけるその他の構成及び作用効果は、図１０の第８実施形態と同様である。
【００７４】
次に、図１２を参照して本発明の第１０実施形態を説明する。図１２において、デシカント空調システム全体を符号１１０で示す。
図１２の第１０実施形態も、図６の第４実施形態を、吸引された空気（Ｆ１）を加圧して除湿ロータ１の除湿域１１とパージ域１２とに供給するブロワ２を有するデシカント空調機１０に適用している。
【００７５】
図１２において、除湿ロータ１の除湿域１１を経由して除湿された空気を室内Ｅに誘導するラインＦ３中に、ヒートポンプ６０の第２の蒸発器４Ａが介装されている。
その様に構成することで、除湿ロータ１により除湿された空気を、ヒートポンプ６０の蒸発器４Ａにより降温して室内Ｅへ供給し、室内Ｅにおける空調設備（図示せず）の冷房負荷を低減することが出来る。
【００７６】
また、除湿ロータ１の再生域１３を再生した後の空気が流れるラインＦ５０に、ウォータトラップを設けた熱交換器Ｈ１が介装されている。
デシカントを再生した後の空気を当該熱交換器Ｈ１で降温し、露点を超えた分の水分ｗを除去しているので、熱交換器Ｈ１を経由した空気からは水分が除去されている。そして、係る水分の除去された空気を、系外（室外）に排気せずに、処理域１１を経由した空気と同様に、図示しない室内Ｅへ供給している。
【００７７】
図１２の第１０実施形態におけるその他の構成及び作用効果は、図１１の第９実施形態と同様である。
【００７８】
次に、図１３を参照して本発明の第１１実施形態を説明する。図１３において、デシカント空調システム全体を符号１１１で示す。
図１３の第１１実施形態も、図６の第４実施形態を、吸引された空気（Ｆ１）を加圧して除湿ロータ１の除湿域１１とパージ域１２とに供給するブロワ２を有するデシカント空調機１０に適用している。
【００７９】
図１３の第１１実施形態では、ブロワ２と除湿ロータ１の処理域１１とを連通するラインＦ２に、ヒートポンプ６０の第２の蒸発器４Ａを介装していると共に、除湿ロータ１の処理域１１を経由して除湿された空気を室内Ｅに誘導するラインＦ３中に、熱交換器Ｈを介装している。
【００８０】
ヒートポンプ６０の第２の蒸発器４Ａによって、ブロワ２から吹き出す空気（除湿すべき空気：ラインＦ２を流れる空気）を降温し、露点を超えた分の水分を除去している。その露点を越えた水分が除去された空気は、その相対湿度は、略々１００％近くなり、デシカント方式による除湿効率が向上する。これにより、除湿能力の更なる向上が見込まれる。
さらに、処理域１１で除湿された空気は、ラインＦ３の熱交換器Ｈにより降温されて室内Ｅへ供給するので、空調設備の冷房負荷が低減する。
【００８１】
図１３の第１１実施形態におけるその他の構成及び作用効果については、図８の第６実施形態と同様である。
【００８２】
次に、図１４を参照して本発明の第１２実施形態を説明する。図１４において、デシカント空調システム全体を符号１１２で示す。
【００８３】
図１４の第１２実施形態も、図６の第４実施形態を、吸引された空気（Ｆ１）を加圧して除湿ロータ１の除湿域１１とパージ域１２とに供給するブロワ２を用いたデシカント空調機１０に適用している。
【００８４】
図１４の第１２実施形態では、ブロワ２と除湿ロータ１の処理域１１とを連通するラインＦ２に、ウォータトラップを設けた熱交換器Ｈ１を介装していると共に、除湿ロータ１の処理域１１を経由して除湿された空気を室内Ｅに誘導するラインＦ３中に、ヒートポンプ６０の第２の蒸発器４Ａを介装している。
【００８５】
ブロワ２から吹き出す空気（除湿すべき空気）を熱交換器Ｈ１で降温し、露点を超えた分の水分ｗを除去して相対湿度を略々１００％近くしているので、デシカント方式による除湿効率が向上する。
そして、ラインＦ３に介装されたヒートポンプ６０の蒸発器４Ａにより、処理域１１で除湿された空気が降温して室内Ｅへ供給するので、室内Ｅの空調設備（図示せず）の冷房負荷が低減する。
【００８６】
図１４の第１２実施形態におけるその他の構成及び作用効果については、図１３の第１１実施形態と同様である。
【００８７】
次に、図１５を参照して本発明の第１３実施形態を説明する。図１５において、デシカント空調システム全体を符号１１３で示す。
【００８８】
図１５の第１３実施形態も、図６の第４実施形態を、吸引された空気（Ｆ１）を加圧して除湿ロータ１の除湿域１１とパージ域１２とに供給するブロワ２を用いたデシカント空調機１０に適用している。
【００８９】
図１５の第１３実施形態では、ブロワ２と除湿ロータ１の処理域１１とを連通するラインＦ２に、ヒートポンプ６０の第２の蒸発器４Ａを介装している。
そして、除湿ロータ１の処理域１１を経由して除湿された空気を室内Ｅに誘導するラインＦ３中に熱交換器Ｈを介装すると共に、除湿ロータ１の再生域１３を再生した後の空気が流れるラインＦ５０にウォータトラップを設けた熱交換器Ｈ１を介装している。
その他の構成及び作用効果については、図７〜図１４の各実施形態と同様である。
【００９０】
次に、図１６を参照して本発明の第１４実施形態を説明する。図１６において、デシカント空調システム全体を符号１１４で示す。
【００９１】
図１６の第１４実施形態も、図６の第４実施形態を、吸引された空気（Ｆ１）を加圧して除湿ロータ１の除湿域１１とパージ域１２とに供給するブロワ２を用いたデシカント空調機１０に適用している。
【００９２】
図１６では、除湿ロータ１の再生域１３を再生した後の空気が流れるラインＦ５に、ヒートポンプ６０の第２の蒸発器４Ａを介装している。
そして、ブロワ２と除湿ロータ１の処理域１１とを連通するラインＦ２に、ウォータトラップを設けた熱交換器Ｈ１を介装している。それと共に、除湿ロータ１の処理域１１を経由して除湿された空気を室内Ｅに誘導するラインＦ３中に、熱交換器Ｈが介装されている。
その他の構成及び作用効果については、図７〜図１５の各実施形態と同様である。
【００９３】
次に、図１７を参照して本発明の第１５実施形態を説明する。図１７において、デシカント空調システム全体を符号１１５で示す。
【００９４】
図１７の第１５実施形態も、図６の第４実施形態を、吸引された空気（Ｆ１）を加圧して除湿ロータ１の除湿域１１とパージ域１２とに供給するブロワ２を有するデシカント空調機１０に適用している。
【００９５】
図１７では、除湿ロータ１の処理域１１を経由して除湿された空気を室内Ｅに誘導するラインＦ３中に、ヒートポンプ６０の第２の蒸発器４Ａが介装されている。
そして、ブロワ２と除湿ロータ１の処理域１１とを連通するラインＦ２に、ウォータトラップを設けた熱交換器Ｈ１を介装している。それと共に、除湿ロータ１の再生域１３を再生した後の空気が流れるラインＦ５に、ウォータトラップを設けた熱交換器Ｈ１を介装している。
その他の構成及び作用効果については、図７〜図１６の各実施形態と同様である。
【００９６】
次に、図１８及び図１９を参照して本発明の第１６実施形態を説明する。図１８及び図１９において、デシカント空調システム全体を符号１１６で示す。
【００９７】
図１〜図１７の実施形態では、ヒートポンプ６０とデシカント空調機１０とが一体に構成されている。
それに対して、図１８、図１９の第１６実施形態では、ヒートポンプ６０Ａとデシカント空調機１０Ａとが別体に構成されている。
【００９８】
図１８において、第１６実施形態のデシカント空調システム１１６は、熱源機である燃料電池２０と貯湯槽４０と単体のヒートポンプ６０Ａと単体のデシカント空調機１０Ａとを有している。
【００９９】
燃料電池２０は、図示しない燃料極に都市ガスラインＬｇから都市ガスが供給される。燃料電池２０と貯湯槽４０とは１次排熱ラインＬｘによって循環回路が形成され、燃料電池２０の排熱が貯湯槽４０内に投入される。
貯湯槽４０とヒートポンプ６０Ａとは２次排熱ラインＬｈによって循環回路が形成され、貯湯槽４０の温水が有する排熱の一部がヒートポンプ６０Ａの後述する蒸発器４に投入されるように構成されている。
更に、ヒートポンプ６０Ａとデシカント空調機１０Ａとは冷媒ラインＬｃによって冷媒が循環可能なように接続されている。
【０１００】
図１９において、単体のヒートポンプ６０Ａは蒸発器４とコンプレッサ６と膨張弁Ｖを介装した冷媒ラインＬｃとを有している。そして、冷媒ラインＬｃを介して、デシカント空調機１０Ａ側に設けられている後述する凝縮器５をも循環するように構成されている。
冷媒ラインＬｃは、ヒートポンプ６０Ａのコンプレッサ６とデシカント空調機１０Ａの凝縮器５とを接続するラインＬｃ２１と、凝縮器５とヒートポンプ６０Ａの蒸発器４とを接続するラインＬｃ２２と、蒸発器４とコンプレッサ６とを接続するラインＬｃ２３とによって構成されている。
【０１０１】
単体のデシカント空調機１０Ａ側には、デシカントロータ１Ａと凝縮器５とが設けられている。
デシカント空調機１０Ａには、流路壁７、７によって上下に二分された２つの空気流路Ｆ２１、Ｆ２２が設けられ、二分された下方の空気流路Ｆ２１はデシカントローラ１Ａで除湿するべき空気の流路Ｆ２１となり、上方の空気流路Ｆ２１はデシカントローラ１Ａを加熱し、水分を除去して再生させるための再生用空気流路Ｆ２２となっている。
デシカントローラ１Ａは、下方の領域が除湿域１１Ａであり、上方の領域が再生域１３Ａである。
図１８及び図１９の第１６実施形態のその他の構成及び作用効果については、図１、図２で示す第１実施形態と同様である。
【０１０２】
次に、図２０を参照して本発明の第１７実施形態を説明する。図２０において、デシカント空調システム全体を符号１１７で示す。
図２０の第１７実施形態は、吸引された空気（Ｆ１）を加圧して除湿ロータ１の除湿域１１とパージ域１２とに供給するブロワ２を有するデシカント空調機１０Ａに、第１６実施形態を適用したものである。
【０１０３】
図２０の第１７実施形態のデシカント空調システムは、ヒートポンプ６０Ａとデシカント空調機１０Ａとが別体に構成されていることを除けば、図３の第２実施形態と同様である。
【０１０４】
なお、図５の第３実施形態においても、第１７実施形態と同様に、ヒートポンプ及びデシカント空調機を別体に構成することが可能である。
【０１０５】
図２１及び図２２を参照して本発明の第１８実施形態を説明する。図２１、図２２において、デシカント空調システム全体を符号１１８で示す。図２１及び図２２の第１８実施形態においても、ヒートポンプ６０Ｂとデシカント空調機１０Ｂとは別体に構成されている。
図２１は第１８実施形態の全体の概略構成を示し、図２２は、別体に構成されたヒートポンプ６０Ｂ及びデシカント空調機１０Ｂを、ブロック図で示している。
【０１０６】
図２１において、第１８実施形態のデシカント空調システム１１８は、熱源機である燃料電池２０と貯湯槽４０と単体のヒートポンプ６０Ｂと単体のデシカント空調機１０Ｂとを有している。
【０１０７】
燃料電池２０は、図示しない燃料極に都市ガスラインＬｇから都市ガスが供給される。燃料電池２０と貯湯槽４０とは１次排熱ラインＬｘによって循環回路が形成され、燃料電池２０の排熱が貯湯槽４０の温水に投入される。
貯湯槽４０とヒートポンプ６０Ｂとは２次排熱ラインＬｈによって循環回路が形成され、貯湯槽４０の温水が有する排熱の一部がヒートポンプ６０Ｂの後述する蒸発器（第１の蒸発器）４に投入されるように構成されている。
更に、ヒートポンプ６０Ｂとデシカント空調機１０Ｂとは冷媒ラインＬｃによって冷媒が循環可能なように接続されている。
【０１０８】
図２２において、ヒートポンプ６０Ｂは、蒸発器４と、２台のコンプレッサ６、６Ａと、冷媒ラインＬｃとによって構成されている。
冷媒ラインＬｃは、デシカント空調機１０Ｂ側に設けられている凝縮器５及び第２の蒸発器４Ａに循環する様に構成されている。
【０１０９】
冷媒ラインＬｃはラインＬｃ３１〜ラインＬｃ３６を有している。
ラインＬｃ３１はヒートポンプ６０Ｂの２台のコンプレッサ６、６Ａを接続しており、ラインＬｃ３１の中間には合流点Ｇが形成されている。ラインＬｃ３２は、コンプレッサ６Ａとデシカント空調機１０Ｂの凝縮器５とを接続している。ラインＬｃ３３は膨張弁Ｖを介装しており、凝縮器５と分岐点Ｂを連通している。ラインＬｃ３４は、分岐点Ｂと第２の蒸発器４Ａを連通している。ラインＬｃ３５は、第２の蒸発器４Ａと他方のコンプレッサ６を接続している。ラインＬｃ３６は分岐点Ｂと合流点Ｇとを連通しており、ラインＬｃ３６には第１の蒸発器４が介装されている。
【０１１０】
デシカント空調機１０Ｂは、デシカントロータ１Ａと凝縮器５と第２の蒸発器４Ａとによって構成されている。
図２２において、デシカント空調機１０Ｂは流路壁７、７によって上下に二分されるように形成された空気流路を有しており、下方の空気流路Ｆ２１は除湿するべき空気或いは除湿された空気が除湿されるべき室内に向かう流路であり、上方の流路Ｆ２２はデシカントローラ１Ｂを加熱して、水分を除去して再生するための再生用空気流路となっている。
図２２で示した状態においては、デシカントローラ１Ａは、空気流路Ｆ２１が透過する下方領域が除湿域１１Ａとなっており、再生用空気流路Ｆ２２が透過する上方領域が再生域１３Ａとなっている。
【０１１１】
図２１、図２２の第１８実施形態では、ヒートポンプ６０Ｂにおいて、第１の蒸発器４において、低圧の液相冷媒が貯湯槽４０から供給される６０℃の温水から気化熱を奪い、気相冷媒となる。
この気相冷媒は合流点Ｇ、ラインＬｃ３１を経由してコンプレッサ６Ａに流入して圧縮され、高圧気相冷媒となる。
この高圧気相冷媒は、ラインＬｃ３２を介してデシカント空調機１０Ｂ側の凝縮器５に流入し、凝縮器５において再生用の空気（空気流路Ｆ２２を流れる空気）に凝縮熱を与えて昇温せしめると共に、高圧液相冷媒となる。
【０１１２】
凝縮機５で凝縮した高圧液相冷媒はラインＬｃ３３の膨張弁Ｖで減圧されて低圧液相冷媒となり、分岐点Ｂにおいて、低圧液相冷媒の一部はラインＬｃ３４を流れて第２の蒸発器４Ａに流入し、残りの低圧液相冷媒がラインＬｃ３６を流れて第１の蒸発）４に戻される。
一方、再生用空気（Ｆ２２）は凝縮器５で凝縮熱を投入されて９０℃レベルまで昇温される。９０℃レベルまで昇温された再生用空気（Ｆ２２）は、デシカントロータ１Ａを通過する際に、デシカントロータ１Ａの再生域１３Ａのデシカントを加熱して水分を除去し、再生する。
ラインＬｃ３４経由で第２の蒸発器４Ａに向かった低圧液相冷媒は、デシカント空調機１０Ｂ側の第２の蒸発器４Ａにおいて、除湿するべき空気（Ｆ２１）から気化熱を奪って当該空気を冷却する。冷却された空気（Ｆ２１）は、露点を超えた水分が除去されて、相対湿度が１００％となるので、デシカントロータ１Ａの除湿域１１Ａで除湿される効率がさらに向上する。
図２１及び図２２の実施形態におけるその他の構成及び作用効果は、図６〜図１７の各実施形態と同様である。
【０１１３】
次に、図２３を参照して本発明の第１９実施形態を説明する。図２３では、デシカント空調システム全体を符号１１９で示す。
図２３の第１９実施形態は、吸引された空気（Ｆ１）を加圧して除湿ロータ１の除湿域１１とパージ域１２とに供給するブロワ２を有するデシカント空調機１０Ｂに、図２１、図２２の第１８実施形態を適用している。
換言すれば、図２３の第１９実施形態は、図７の第５実施形態に対応している。
【０１１４】
図２３において、除湿ロータ１の除湿域１１を経由して除湿された空気を室内Ｅに誘導するラインＦ３には、ヒートポンプ６０Ｂに接続する第２の蒸発器４Ａが介装されており、当該蒸発器４Ａが除湿された空気から気化熱を奪って、当該空気（Ｆ３）を冷却する。
ヒートポンプ６０Ｂと接続された蒸発器４Ａにより、除湿された空気を降温して室内Ｅへ供給すれば、室内Ｅにおける図示しない空調設備の冷房負荷を低減することが出来る。
【０１１５】
さらに図２３において、除湿ロータ１のパージ域１２と再生域１３とはラインＦ０で連通しており、ラインＦ０はヒートポンプ６０Ｂの凝縮器５を介装しており、凝縮器５により、高圧気相冷媒の気化熱が再生用空気（ラインＦ０）に投入され、加熱する。そして、加熱された空気によってデシカントの再生が効率良く行われる。
【０１１６】
図２３の実施形態におけるその他の構成及び作用効果については図６〜図１７の各実施形態、或いは図２１、図２２の第１８実施形態と同様である。
ここで、吸引された空気（Ｆ１）を加圧して除湿ロータ１の除湿域１１とパージ域１２とに供給するブロワ２を有するデシカント空調機１０Ｂに、図２１、図２２の第１８実施形態を適用した実施形態については、図７の第５実施形態と対応する図２３の第１９実施形態のみを図示したが、図８〜図１７の各実施形態と対応する実施形態を構成することが可能である。換言すれば、図８〜図１７の各実施形態において、ヒートポンプとデシカント空調機とを別体に構成することが可能である。
【０１１７】
図示の実施形態はあくまでも例示であり、本発明の技術的内容を限定する趣旨の記述ではない旨を付記する。
【図面の簡単な説明】
【０１１８】
【図１】本発明の第１実施形態の概略構成を示す模式図。
【図２】第1実施形態を示すブロック図。
【図３】第２実施形態の構成を示すブロック図。
【図４】第２実施形態で用いられる除湿ロータの説明図。
【図５】第３実施形態のブロック図。
【図６】第４実施形態のブロック図。
【図７】第５実施形態のブロック図。
【図８】第６実施形態のブロック図。
【図９】第７実施形態のブロック図。
【図１０】第８実施形態のブロック図。
【図１１】第９実施形態のブロック図。
【図１２】第１０実施形態のブロック図。
【図１３】第１１実施形態のブロック図。
【図１４】第１２実施形態のブロック図。
【図１５】第１３実施形態のブロック図。
【図１６】第１４実施形態のブロック図。
【図１７】第１５実施形態のブロック図。
【図１８】第１６実施形態の概略構成を示す模式図。
【図１９】第１６実施形態のブロック図。
【図２０】第１７実施形態のブロック図。
【図２１】第１８実施形態の概略構成を示す模式図。
【図２２】第１８実施形態のブロック図。
【図２３】第１９実施形態のブロック図。
【符号の説明】
【０１１９】
１・・・除湿ロータ
２・・・空気供給装置／ブロワ
３・・・ケーシング
４・・・蒸発器／第１の蒸発器
４Ａ・・・第２の蒸発器
５・・・凝縮器
６・・・コンプレッサ
１０・・・デシカント空調機
１１・・・処理域／除湿域
１２・・・パージ域
１３・・・再生域
２０・・・熱源装置／燃料電池
３１・・・空気吸入口
３２・・・空気吹出し口／乾燥空気戻し口
３３・・・排気口
４０・・・排熱貯蔵装置／貯湯槽
６０・・・ヒートポンプ
Ｅ・・・室内
Ｆ０、Ｆ１〜Ｆ５、Ｆ５０・・・空気ライン
Ｈ、Ｈ１・・・熱交換器
Ｌｃ・・・冷媒ライン
Ｌｈ・・・２次排熱ライン
Ｘ・・・室外
【図１】
2007278594.tif 000003
【図２】
2007278594.tif 000004
【図３】
2007278594.tif 000005
【図４】
2007278594.tif 000006
【図５】
2007278594.tif 000007
【図６】
2007278594.tif 000008
【図７】
2007278594.tif 000009
【図８】
2007278594.tif 000010
【図９】
2007278594.tif 000011
【図１０】
2007278594.tif 000012
【図１１】
2007278594.tif 000013
【図１２】
2007278594.tif 000014
【図１３】
2007278594.tif 000015
【図１４】
2007278594.tif 000016
【図１５】
2007278594.tif 000017
【図１６】
2007278594.tif 000018
【図１７】
2007278594.tif 000019
【図１８】
2007278594.tif 000020
【図１９】
2007278594.tif 000021
【図２０】
2007278594.tif 000022
【図２１】
2007278594.tif 000023
【図２２】
2007278594.tif 000024
【図２３】
2007278594.tif 000025